(57)【要約】【課題】実用性及び装飾性に優れ、しかも、落下を確実に防止することができるものでありながら、構成が簡単で手指の動作を束縛することがないハンカチを提供する。【解決手段】性状が異なる第１の布１０と第２の布２０とを備えたハンカチにおいて、第１の布１０は、第２の布２０よりも吸水性が高い素材で形成され、第２の布２０は、第１の布１０の周縁部１１，１２，１３，１４を縁取るとともに、第１の布１０よりも装飾性が高い素材で形成され、第１の布１０と第２の布２０との境界における少なくとも一部に、人の指の挿脱が可能な指挿入孔３０が設けられている。【選択図】図１
0003191742.tif 000002
【実用新案登録請求の範囲】
【請求項１】
性状が異なる第１の布と第２の布とを備えたハンカチにおいて、
前記第１の布は、前記第２の布よりも吸水性が高い素材で形成され、
前記第２の布は、前記第１の布の周縁部を縁取るとともに、前記第１の布よりも装飾性が高い素材で形成され、
前記第１の布と前記第２の布との境界における少なくとも一部に、人の指の挿脱が可能な指挿入孔が設けられている、
ことを特徴とするハンカチ。
【請求項２】
前記第１の布は、方形に形成されている、
ことを特徴とする請求項１に記載のハンカチ。
【請求項３】
前記第１の布は、正方形を含む長方形に形成されている、
ことを特徴とする請求項２に記載のハンカチ。
【請求項４】
前記指挿入孔は、前記第１の布の角部に形成されている、
ことを特徴とする請求項３に記載のハンカチ。
【請求項５】
前記第２の布は、前記第１の布の前記周縁部に、縫合により取り付けられている、
ことを特徴とする請求項４に記載のハンカチ。
【請求項６】
前記指挿入孔は、前記第１の布の一部と前記第２の布の一部とを縫合しないことによって設けられている、
ことを特徴とする請求項５に記載のハンカチ。
【請求項７】
前記第１の布は、一辺の長さが５ｃｍ以上、１０ｃｍ以下に形成されている、
ことを特徴とする請求項６に記載のハンカチ。
【請求項８】
前記第１の布がガーゼであり、前記第２の布がレースである、
ことを特徴とする請求項７に記載のハンカチ。
【考案の詳細な説明】
【技術分野】
【０００１】
本考案は、花嫁が結婚式や披露宴で使用するハンカチに関する。
【背景技術】
【０００２】
結婚式や披露宴において、一般に、花嫁はハンカチを手に持たない。例えば、花嫁が汗をかいた場合には、仲人や式場の係が花嫁にそっとハンカチを渡し、花嫁はそのハンカチで汗をぬぐい、その後、速やかに仲人や式場の係に戻す。
【０００３】
ここで、花嫁が使用するハンカチとしては、化粧を落とすことなく汗を確実にぬぐうことができる実用性に加え、装飾性（ファッション性）を有するものであることが好ましい。
【０００４】
このようなハンカチとして、実用性とファッション性とを併せ持つハンカチが提案されている（例えば、特許文献１，２参照）。
【０００５】
このうち特許文献１に係るハンカチは、ハンカチ本体をニット編みや、これにガーゼ布を縫着して形成し、このハンカチ本体の周囲にレースを逢着したものである。
【０００６】
また、特許文献２に係るハンカチは、基布本体をタオル地で形成し、この基布本体にこれよりも大きいレース布を逢着して、基布本体の周縁からレース布がはみ出すようにしたものである。
【０００７】
これら特許文献１，２に係るハンカチは、いずれもハンカチ本体や基布本体が実用性を有する一方、ハンカチ本体や基布本体の周囲のレースが装飾性を高めている。
【０００８】
ところで、結婚式や披露宴の式中に、花嫁が、自分が使いたいときに自由にハンカチを使えるようにするためには、自分の手で持つことが好ましい。
【０００９】
しかしながら、式中の花嫁は、ブーケや花束、ローソク等を持ったりするため、上述の特許文献１，２に係るハンカチを落としてしまったりするおそれがある。
【００１０】
ここで、ハンカチの落下を防止するための提案がなされている（例えば、特許文献３参照）。
【００１１】
このものは、ハンカチの一方の面に、布ゴムや合成樹脂等で形成した手指挿着部を設け、これを指に引っ掛けることで、ハンカチの落下を防止している。
【先行技術文献】
【特許文献】
【００１２】
【特許文献１】実用新案登録第３０６５４５２号
【００１３】
【特許文献２】実用新案登録第３１１３５９８９号
【００１４】
【特許文献３】実用新案登録第３０６４２９０号
【考案の概要】
【考案が解決しようとする課題】
【００１５】
しかしながら、上述の特許文献３のものは、ハンカチを意識的に手で握らなくとも、落下を防止することはできるものの、追加部材として、手指挿着部等を設ける必要があるため、構成が複雑となり、さらに、装着された手指挿着部によって手指の自由な動きが束縛されてしまうという問題がある。
【００１６】
そこで、本考案は、上述した事情に鑑みてなされたものであり、実用性及び装飾性に優れ、しかも、落下を確実に防止することができるものでありながら、構成が簡単で手指の動作を束縛することがないハンカチを提供することを目的とするものである。
【課題を解決するための手段】
【００１７】
請求項１に係る考案は、性状が異なる第１の布と第２の布とを備えたハンカチにおいて、前記第１の布は、前記第２の布よりも吸水性が高い素材で形成され、前記第２の布は、前記第１の布の周縁部を縁取るとともに、前記第１の布よりも装飾性が高い素材で形成され、前記第１の布と前記第２の布との境界における少なくとも一部に、人の指の挿脱が可能な指挿入孔が設けられている、ことを特徴とする。
【００１８】
請求項２に係る考案は、請求項１に係るハンカチにおいて、前記第１の布は、方形に形成されている、ことを特徴とする。
【００１９】
請求項３に係る考案は、請求項２に係るハンカチにおいて、前記第１の布は、正方形を含む長方形に形成されている、ことを特徴とする。
【００２０】
請求項４に係る考案は、請求項３に係るハンカチにおいて、前記指挿入孔は、前記第１の布の角部に形成されている、ことを特徴とする。
【００２１】
請求項５に係る考案は、請求項４に係るハンカチにおいて、前記第２の布は、前記第１の布の前記周縁部に、縫合により取り付けられている、ことを特徴とする。
【００２２】
請求項６に係る考案は、請求項５に係るハンカチにおいて、前記指挿入孔は、前記第１の布の一部と前記第２の布の一部とを縫合しないことによって設けられている、ことを特徴とする。
【００２３】
請求項７に係る考案は、請求項６に係るハンカチにおいて、前記第１の布は、一辺の長さが５ｃｍ以上、１０ｃｍ以下に形成されている、ことを特徴とする。
【００２４】
請求項８に係る考案は、請求項７に係るハンカチにおいて、前記第１の布がガーゼであり、前記第２の布がレースである、ことを特徴とする。
【考案の効果】
【００２５】
請求項１の考案によれば、吸水性の高い第１の布で汗等を良好にぬぐうことができ、また、装飾性の高い第２の布でファッション性を高めることができる。さらに、指挿入孔に指を挿入する（通す）ことによりハンカチ全体を保持することができるので、ハンカチを手で握って持つ必要がない。このハンカチは、例えば、結婚式や披露宴における花嫁が一方の手を開けておくことが必要であるため、ブーケや花束を持つ手に保持することができる。
【００２６】
請求項２の考案によれば、第１の布が方形（四角形）に形成されているので、その周縁部を縁取る第２の布の取り付けが容易である。
【００２７】
請求項３の考案によれば、第１の布が、一般的な、タオル，手ぬぐい，ハンカチと同様、長方形や正方形に形成されているので、他の形状に形成されている場合と比較して、作製時に布の無駄がなく、また、使い勝手がよい。
【００２８】
請求項４の考案によれば、指挿入孔が、第１の布の角部に形成されているので、角部以外の他の部分に形成されている場合と比較して、指挿入孔の位置を確認しやすく、これにより、指挿入孔に対する指の挿脱（出し入れ）が容易となる。
【００２９】
請求項５の考案によれば、第２の布は、第１の布の周縁部に縫合されているので、他の接合の仕方、例えば、接着剤を用いた接着や布の一部を溶融させる溶着等と比較して、第１の布及び第２の布の種類（素材）についての自由度が高い。
【００３０】
請求項６の考案によれば、指挿入孔は、第１の布の一部と第２の布の一部とを縫合しないことで設けられているので、例えば、指を引っ掛けるための部品（部分）を追加する必要がなく、全体構成を簡略化できるとともに、製造工程も簡略化できる。
【００３１】
請求項７の考案によれば、第１の布は、一辺が１０ｃｍ以下であるので、例えば、花嫁が片手に持った場合でも、第１の布が手のひらから大きくはみ出すことがないので、露出部分が多くならず、また、５ｃｍ以上であるので、汗等をぬぐうのに十分である。
【００３２】
請求項８によれば、第１の布はガーゼで形成されているので、吸水性が高く、さらに、顔に化粧をしている場合には、その化粧を不要に落とすことなく汗等を良好にぬぐうことができる。また、第２の布は、レースによって形成されているので、高い装飾性を持つことができる。
【図面の簡単な説明】
【００３３】
【図１】ハンカチ１を広げて一方の面からみた図である。
【図２】ハンカチ１を、図１中の矢印Ｘ−Ｘ線で切断して模式的に示す図である。
【図３】ハンカチ１を、図１中の矢印Ｙ−Ｙ線で切断して模式的に示す図である。
【図４】指挿入孔３０を広げた状態を説明する図である。
【考案を実施するための形態】
【００３４】
以下、本考案を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００３５】
図１〜図４を参照して本考案を適用した実施形態１に係るハンカチ１について説明する。このうち、図１は、ハンカチ１を広げて一方の面からみた図である。図２は、ハンカチ１を、図１中の矢印Ｘ−Ｘ線で切断して模式的に示す図である。図３は、ハンカチ１を、図１中の矢印Ｙ−Ｙ線で切断して模式的に示す図である。図４は、指挿入孔３０を広げた状態を説明する図である。
【００３６】
これらの図に示すように、ハンカチ１は、第１の布１０と、第２の布２０とを備えて構成されている。
【００３７】
第１の布１０は、略正方形に形成されている。ここで、略正方形とは、正方形を目指して作製するが、布の性質状、正確な正方形を形成するのは困難であるため、製造誤差を含むことを意味する。第１の布１０は、４つの周縁部（辺）１１，１２，１３，１４が、５ｃｍ以上１０ｃｍ以下の吸水性の高い布、例えば、ガーゼやタオルによって形成されている。このようなサイズに形成することで、例えば、花嫁の顔の汗を十分にぬぐうことができ、また、花嫁がハンカチ１を持った際にも、実用性は高いものの装飾性（ファッション性）には劣るこの第１の布１０が、花嫁の手のひらからはみ出して外部に大きく露出することを防止することができる。また、第１の布１０として、特に、ガーゼを使用した場合には、汗を有効にぬぐうのに加え、花嫁の化粧が落ちることをよく防止することができる。なお、第１の布１０の素材としては、ガーゼが好適であるが、他の吸水性に優れた布を使用することも可能である。
【００３８】
第２の布２０は、第１の布１０の周縁部１１〜１４を縁取るように形成されている。第２の布１０は、素材としては装飾性（ファッション性）の高い布、例えば、レースを使用することができる。第２の布２０は、全体としては額縁状に形成されていて、第１の布１０の周縁部１１，１２，１３，１４に対応する細長い接合部分２１，２２，２３，２４を有している。第２の布２０は、これら接合部分２１〜２４を、第１の布１０の周縁部１１〜１４に縫合する、すなわち、糸を用いて縫い付けることによって、第１の布１０に取り付けられている。
【００３９】
なお、第２の布２０の素材としては、レースが好適であるが、主に装飾性が要求されるため、装飾性が高いものであれば、レースに代えて他の任意の布を使用することが可能である。なお、縫合に代えて、例えば、第１の布１０、第２の布２０の素材を適宜に選択することにより、溶着や接着を選択することも可能である。ただし、縫合を選択した場合には、第１の布１０及び第２の布２０についての素材（材質）の選択の自由度が増すことになる。
【００４０】
上述の第１の布１０と第２の布２０の境界における少なくとも一部に、指挿入孔３０が設けられている。指挿入孔３０は、第１の布１０の４つの角部ａ，ｂ，ｃ，ｄのうちの１つの角部ａに設けられている。指挿入孔３０は、角部ａから角部ｂに向かって途中の部分ｅまでの部分について、第１の布１０の周縁部１１と第２の布２０の接合部分２１とを縫合しないことで形成されている。角部ａから部分ｅまでの長さは、花嫁が手袋をはめた状態で指の出し入れが容易な大きさ、例えば、３〜４ｃｍ程度に設定されている。指挿入孔３０は、このように、第１の布１０と第２の布２０との縫合を一部で省略することにより形成されているので、指を引っかけたり挿入したりする部分を特別に設ける場合と比較して、構成が簡略化できるとともに、加工に要する時間も割愛することができる。
【００４１】
ここで、第１の布１０の周縁部１１〜１２の長さ（一辺の長さ）をＬ１、第２の布２０の同方向の長さをＬ２としたときに、長さＬ１を長さＬ２の半分以下に設定する、すなわち、Ｌ１≦（１／２）Ｌ２に設定すると、例えば、装飾性の高いレースで形成された第２の布２０の面積を大きくとることができるので、ファッション性をより高めることができる。
【００４２】
以上説明したように、本実施形態に係るハンカチ１によれば、以下の（１）〜（８）のような効果を奏することができる。
【００４３】
（１）吸水性の高い第１の布１０で汗等を良好にぬぐうことができ、また、装飾性の高い第２の布２０でファッション性を高めることができる。さらに、指挿入孔３０に指を挿入する（通す）ことによりハンカチ１全体を保持することができるので、ハンカチ１を手で握って持つ必要がない。
（２）第１の布１０が方形に形成されているので、その周縁部１１〜１４を縁取る第２の布２０の取り付けが容易である。
（３）第１の布１０が、一般的な、タオル，手ぬぐい，ハンカチと同様、正方形に形成されているので、他の形状に形成されている場合と比較して、作製時に布の無駄がなく、また、使い勝手がよい。
（４）指挿入孔３０が、第１の布１０の角部ａに形成されているので、角部ａ以外の他の部分に形成されている場合と比較して、指挿入孔３０の位置を確認しやすく、これにより、指挿入孔３０に対する指の挿脱（出し入れ）が容易となる。
（５）第２の布２０は、第１の布１０の周縁部１１〜１４に縫合されているので、他の接合の仕方、例えば、接着剤を用いた接着や布の一部を溶融させる溶着等と比較して、第１の布１０及び第２の布２０の種類（素材）についての自由度が高い。
（６）指挿入孔３０は、第１の布１０の一部と第２の布２０の一部とを縫合しないことで設けられているので、例えば、指を引っ掛けるための部品（部分）を追加する必要がなく、全体構成を簡略化できるとともに、製造工程も簡略化できる。また、特別な装着具を設ける場合と比較して、手指の動作が制約されにくい。
（７）第１の布１０は、一辺が１０ｃｍ以下であるので、例えば、花嫁が片手に持った場合でも、第１の布１０が手のひらから大きくはみ出さず露出部分が多くならないため、ファッション性を損ねず、また、５ｃｍ以上であるので、汗等をぬぐうのに十分で、必要な実用性を確保することができる。なお、本実施形態に係るハンカチ１は、従来のものが実用性が主で、これに装飾性がプラスされているのとは逆で、装飾性が主であって、これに実用性をプラスするものであるため、上述のように、第１の布１０の長さＬ１を第２の布２０の長さＬ２の半分以下に設定して、第１の布１０に対して第２の布２０の面積を大きくとることは有効である。
（８）第１の布１０はガーゼで形成されているので、吸水性が高く、さらに、顔に化粧をしている場合には、その化粧を不要に落とすことなく汗等を良好にぬぐうことができる。また、第２の布２０は、レースによって形成されているので、高い装飾性を持つことができる。
【００４４】
なお、上述の実施形態では、第１の布１０の形状が正方形である場合を例に説明したが、第１の布１０の形状は、これに限定されるものではなく、例えば、長方形、ひし形、六角形，八角形等の多角形、さらには、円形、楕円形とすることも可能である。
【００４５】
また、指挿入孔３０は、角部ａに設けた１つに限らず、他の角部ｂ，ｃ，ｄ等に追加して設けるようにしてもよい。
【００４６】
また、指挿入孔３０は、角部ａに限らず、例えば、角部ａと角部ｂとの間、つまり、周縁部１１の長手方向の中間に設けるようにしてもよい。
【００４７】
また、指挿入孔３０は、図１に示す例では、角部ａから角部ｂに向かう部分を縫合しないことで形成しているが、これに代えて、角部ａから角部ｂに向かう部分に加えて、角部ａから角部ｄに向かう部分を縫合しないことで指挿入孔３０を形成するようにしてもよい。つまり、指挿入孔３０が直角三角形状に開口するようにしてもよい。この場合には、図１に示す例よりも、指挿入孔３０が開口しやすいので、指の挿脱が一層、容易となる。
【符号の説明】
【００４８】
１  ハンカチ
１０  第１の布
１１〜１４  周縁部（辺）
２０  第２の布
２１〜２４  接合部分
３０  指挿入孔
ａ，ｂ，ｃ，ｄ  角部
【図１】
0003191742.tif 000003
【図２】
0003191742.tif 000004
【図３】
0003191742.tif 000005
【図４】
0003191742.tif 000006